【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
ワイヤレスデバイスによって実行させる方法であって、
第１のシンボルタイプの第１のシンボル中でユーザデータを送信することと、ここにおいて、前記第１のシンボルタイプが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
第２のシンボルタイプの第２のシンボル中でロングトレーニングフィールド（ＬＴＦ）を送信することと、ここにおいて、前記第２のシンボルタイプが、第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備え、ここにおいて、有効なトーンが、ガードトーンとＤＣトーンとを除く前記ワイヤレスデバイスによる送信のために使用可能なトーンであり、ここにおいて、前記第１のトーンプランが前記第２のトーンプランとは異なる、
を備える、方法。
【請求項２】
前記第２のシンボル持続時間が前記第１のシンボル持続時間よりも短い、請求項１に記載の方法。
【請求項３】
前記第２の有効な開始トーンインデックスが前記第１の有効な開始トーンインデックスの関数であり、前記第２の有効な終了トーンインデックスが前記第１の有効な終了トーンインデックスの関数である、請求項１に記載の方法。
【請求項４】
ＤＣトーンの前記第１のセットが、トーンインデックス−１、０、および１に位置する３つのＤＣトーンを含み、ＤＣトーンの前記第２のセットが、トーンインデックス０に位置する１つのＤＣトーンを含む、請求項１に記載の方法。
【請求項５】
ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−１、０、および１に位置する３つのＤＣトーン、またはトーンインデックス０に位置する１つのＤＣトーンを含む、請求項１に記載の方法。
【請求項６】
ＤＣトーンの前記第１のセットが、トーンインデックス−３、−２、−１、０、１、２、および３に位置する７つのＤＣトーンを含み、ＤＣトーンの前記第２のセットが、トーンインデックス−１、０、および１に位置する３つのＤＣトーン、またはトーンインデックス０における１つのＤＣトーンを含む、請求項１に記載の方法。
【請求項７】
ＤＣトーンの前記第１のセットが、トーンインデックス−１、０、および１に位置する３つのＤＣトーンを含み、ＤＣトーンの前記第２のセットが、トーンインデックス−１、０、および１に位置する３つのＤＣトーンを含む、請求項１に記載の方法。
【請求項８】
請求項１〜請求項７のうちのいずれか一項に記載の方法を実行するための命令を備える、コンピュータプログラム。
【請求項９】
ワイヤレス通信のための装置であって、
第１のシンボルタイプの第１のシンボル中でユーザデータを送信するための手段と、ここにおいて、前記第１のシンボルタイプが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
第２のシンボルタイプの第２のシンボル中でロングトレーニングフィールド（ＬＴＦ）を送信するための手段と、ここにおいて、前記第２のシンボルタイプが、第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備え、ここにおいて、有効なトーンが、ガードトーンとＤＣトーンとを除く前記ワイヤレスデバイスによる送信のために使用可能なトーンであり、ここにおいて、前記第１のトーンプランが前記第２のトーンプランとは異なる、
を備える、装置。
【請求項１０】
前記第２のシンボル持続時間が前記第１のシンボル持続時間よりも短い、請求項９に記載の装置。
【請求項１１】
前記第２の有効な開始トーンインデックスが前記第１の有効な開始トーンインデックスの関数であり、前記第２の有効な終了トーンインデックスが前記第１の有効な終了トーンインデックスの関数である、請求項９に記載の装置。
【請求項１２】
ＤＣトーンの前記第１のセットが、トーンインデックス−１、０、および１に位置する３つのＤＣトーンを含み、ＤＣトーンの前記第２のセットが、トーンインデックス０に位置する１つのＤＣトーンを含む、請求項９に記載の装置。
【請求項１３】
ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−１、０、および１に位置する３つのＤＣトーン、またはトーンインデックス０に位置する１つのＤＣトーンを含む、請求項９に記載の装置。
【請求項１４】
ＤＣトーンの前記第１のセットが、トーンインデックス−３、−２、−１、０、１、２、および３に位置する７つのＤＣトーンを含み、ＤＣトーンの前記第２のセットが、トーンインデックス−１、０、および１に位置する３つのＤＣトーン、またはトーンインデックス０における１つのＤＣトーンを含む、請求項９に記載の装置。
【請求項１５】
ＤＣトーンの前記第１のセットが、トーンインデックス−１、０、および１に位置する３つのＤＣトーンを含み、ＤＣトーンの前記第２のセットが、トーンインデックス−１、０、および１に位置する３つのＤＣトーンを含む、請求項９に記載の装置。
【手続補正２】
【補正対象書類名】明細書
【補正対象項目名】０１１９
【補正方法】変更
【補正の内容】
【０１１９】
[00125]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
以下に本願の出願当初の特許請求の範囲に記載された発明を付記する。
[Ｃ１]  ワイヤレスデバイスを動作させる方法であって、
第１のシンボルタイプの第１のシンボル中でユーザデータを送信することと、ここにおいて、前記第１のシンボルタイプが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
第２のシンボルタイプの第２のシンボル中でロングトレーニングフィールド（ＬＴＦ）を送信することと、ここにおいて、前記第２のシンボルタイプが、第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を備える、方法。
[Ｃ２]  構成情報に基づいて、前記第１のシンボルタイプに関連付けられた前記第１のトーンプランを決定することと、
前記構成情報に基づいて、前記第２のシンボルタイプに関連付けられた前記第２のトーンプランを決定することと
をさらに備える、Ｃ１に記載の方法。
[Ｃ３]  前記第２のシンボル持続時間が前記第１のシンボル持続時間よりも短い、Ｃ１に記載の方法。
[Ｃ４]  前記第２の有効な開始トーンインデックスが前記第１の有効な開始トーンインデックスの関数であり、前記第２の有効な終了トーンインデックスが前記第１の有効な終了トーンインデックスの関数である、Ｃ１に記載の方法。
[Ｃ５]  ＤＣトーンの前記第１のセットが、トーンインデックス−１、０、および１に位置する３つのＤＣトーンを含み、ＤＣトーンの前記第２のセットが、トーンインデックス０に位置する１つのＤＣトーンを含む、Ｃ１に記載の方法。
[Ｃ６]  ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−１、０、および１に位置する３つのＤＣトーン、またはトーンインデックス０に位置する１つのＤＣトーンを含む、Ｃ１に記載の方法。
[Ｃ７]  ＤＣトーンの前記第１のセットが、トーンインデックス−３、−２、−１、０、１、２、および３に位置する７つのＤＣトーンを含み、ＤＣトーンの前記第２のセットが、トーンインデックス−１、０、および１に位置する３つのＤＣトーン、またはトーンインデックス０における１つのＤＣトーンを含む、Ｃ１に記載の方法。
[Ｃ８]  ＤＣトーンの前記第１のセットが、トーンインデックス−１、０、および１に位置する３つのＤＣトーンを含み、ＤＣトーンの前記第２のセットが、トーンインデックス−１、０、および１に位置する３つのＤＣトーンを含む、Ｃ１に記載の方法。
[Ｃ９]  ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、Ｃ１に記載の方法。
[Ｃ１０]  ＤＣトーンの前記第１のセットが、トーンインデックス−３、−２、−１、０、１、２、および３に位置する７つのＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、Ｃ１に記載の方法。
[Ｃ１１]  前記第１のシンボル持続時間が前記第２のシンボル持続時間よりも２倍長く、前記第１の周波数帯域幅および前記第２の周波数帯域幅が２０メガヘルツであり、前記第１の有効な開始トーンインデックスが−１２２であり、前記第１の有効な終了トーンインデックスが１２２であり、前記第２の有効な開始トーンインデックスが−６１であり、前記第２の有効な終了トーンインデックスが６１である、Ｃ１に記載の方法。
[Ｃ１２]  前記第１のシンボル持続時間が前記第２のシンボル持続時間よりも２倍長く、前記第１の周波数帯域幅および前記第２の周波数帯域幅が４０メガヘルツであり、前記第１の有効な開始トーンインデックスが−２５０であり、前記第１の有効な終了トーンインデックスが２５０であり、前記第２の有効な開始トーンインデックスが−１２５であり、前記第２の有効な終了トーンインデックスが１２５である、Ｃ１に記載の方法。
[Ｃ１３]  前記第１のシンボル持続時間が前記第２のシンボル持続時間よりも２倍長く、前記第１の周波数帯域幅および前記第２の周波数帯域幅が８０メガヘルツであり、前記第１の有効な開始トーンインデックスが−５０６であり、前記第１の有効な終了トーンインデックスが５０６であり、前記第２の有効な開始トーンインデックスが−２５３であり、前記第２の有効な終了トーンインデックスが２５３である、Ｃ１に記載の方法。
[Ｃ１４]  前記ＤＣトーンがゼロ振幅を有し、非ＤＣトーンが、ガードトーンと、データトーンと、パイロットトーンとを含み、ここにおいて、前記ガードトーンがゼロ振幅を有し、前記データトーンが、送信されるべきデータを含み、パイロットトーンが、チャネル推定のための既知の情報を含む、Ｃ１に記載の方法。
[Ｃ１５]  ワイヤレス通信のための装置であって、
第１のシンボルタイプの第１のシンボル中でユーザデータを送信するための手段と、ここにおいて、前記第１のシンボルタイプが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
第２のシンボルタイプの第２のシンボル中でロングトレーニングフィールド（ＬＴＦ）を送信するための手段と、ここにおいて、前記第２のシンボルタイプが、第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を備える、装置。
[Ｃ１６]  構成情報に基づいて、前記第１のシンボルタイプに関連付けられた前記第１のトーンプランを決定するための手段と、
前記構成情報に基づいて、前記第２のシンボルタイプに関連付けられた前記第２のトーンプランを決定するための手段とをさらに備える、Ｃ１５に記載の装置。
[Ｃ１７]  前記第２のシンボル持続時間が前記第１のシンボル持続時間よりも短い、Ｃ１５に記載の装置。
[Ｃ１８]  前記第２の有効な開始トーンインデックスが前記第１の有効な開始トーンインデックスの関数であり、前記第２の有効な終了トーンインデックスが前記第１の有効な終了トーンインデックスの関数である、Ｃ１５に記載の装置。
[Ｃ１９]  ＤＣトーンの前記第１のセットが、トーンインデックス−１、０、および１に位置する３つのＤＣトーンを含み、ＤＣトーンの前記第２のセットが、トーンインデックス０に位置する１つのＤＣトーンを含む、Ｃ１５に記載の装置。
[Ｃ２０]  ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−１、０、および１に位置する３つのＤＣトーン、またはトーンインデックス０に位置する１つのＤＣトーンを含む、Ｃ１５に記載の装置。
[Ｃ２１]  ＤＣトーンの前記第１のセットが、トーンインデックス−３、−２、−１、０、１、２、および３に位置する７つのＤＣトーンを含み、ＤＣトーンの前記第２のセットが、トーンインデックス−１、０、および１に位置する３つのＤＣトーン、またはトーンインデックス０における１つのＤＣトーンを含む、Ｃ１５に記載の装置。
[Ｃ２２]  ＤＣトーンの前記第１のセットが、トーンインデックス−１、０、および１に位置する３つのＤＣトーンを含み、ＤＣトーンの前記第２のセットが、トーンインデックス−１、０、および１に位置する３つのＤＣトーンを含む、Ｃ１５に記載の装置。
[Ｃ２３]  ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、Ｃ１５に記載の装置。
[Ｃ２４]  ＤＣトーンの前記第１のセットが、トーンインデックス−３、−２、−１、０、１、２、および３に位置する７つのＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、Ｃ１５に記載の装置。
[Ｃ２５]  前記第１のシンボル持続時間が前記第２のシンボル持続時間よりも２倍長く、前記第１の周波数帯域幅および前記第２の周波数帯域幅が２０メガヘルツであり、前記第１の有効な開始トーンインデックスが−１２２であり、前記第１の有効な終了トーンインデックスが１２２であり、前記第２の有効な開始トーンインデックスが−６１であり、前記第２の有効な終了トーンインデックスが６１である、Ｃ１５に記載の装置。
[Ｃ２６]  前記第１のシンボル持続時間が前記第２のシンボル持続時間よりも２倍長く、前記第１の周波数帯域幅および前記第２の周波数帯域幅が４０メガヘルツであり、前記第１の有効な開始トーンインデックスが−２５０であり、前記第１の有効な終了トーンインデックスが２５０であり、前記第２の有効な開始トーンインデックスが−１２５であり、前記第２の有効な終了トーンインデックスが１２５である、Ｃ１５に記載の装置。
[Ｃ２７]  前記第１のシンボル持続時間が前記第２のシンボル持続時間よりも２倍長く、前記第１の周波数帯域幅および前記第２の周波数帯域幅が８０メガヘルツであり、前記第１の有効な開始トーンインデックスが−５０６であり、前記第１の有効な終了トーンインデックスが５０６であり、前記第２の有効な開始トーンインデックスが−２５３であり、前記第２の有効な終了トーンインデックスが２５３である、Ｃ１５に記載の装置。
[Ｃ２８]  前記ＤＣトーンがゼロ振幅を有し、非ＤＣトーンが、ガードトーンと、データトーンと、パイロットトーンとを含み、ここにおいて、前記ガードトーンがゼロ振幅を有し、前記データトーンが、送信されるべきデータを含み、パイロットトーンが、チャネル推定のための既知の情報を含む、Ｃ１５に記載の装置。
[Ｃ２９]  ワイヤレス通信のための装置であって、
メモリと、
前記メモリに結合された少なくとも１つのプロセッサと
を備え、前記少なくとも１つのプロセッサは、
第１のシンボルタイプの第１のシンボル中でユーザデータを送信することと、ここにおいて、前記第１のシンボルタイプが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
第２のシンボルタイプの第２のシンボル中でロングトレーニングフィールド（ＬＴＦ）を送信することと、ここにおいて、前記第２のシンボルタイプが、第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を行うように構成された、
装置。
[Ｃ３０]  前記少なくとも１つのプロセッサが、
構成情報に基づいて、前記第１のシンボルタイプに関連付けられた前記第１のトーンプランを決定することと、
前記構成情報に基づいて、前記第２のシンボルタイプに関連付けられた前記第２のトーンプランを決定することと
を行うようにさらに構成された、Ｃ２９に記載の装置。
[Ｃ３１]  前記第２のシンボル持続時間が前記第１のシンボル持続時間よりも短い、Ｃ２９に記載の装置。
[Ｃ３２]  前記第２の有効な開始トーンインデックスが前記第１の有効な開始トーンインデックスの関数であり、前記第２の有効な終了トーンインデックスが前記第１の有効な終了トーンインデックスの関数である、Ｃ２９に記載の装置。
[Ｃ３３]  ＤＣトーンの前記第１のセットが、トーンインデックス−１、０、および１に位置する３つのＤＣトーンを含み、ＤＣトーンの前記第２のセットが、トーンインデックス０に位置する１つのＤＣトーンを含む、Ｃ２９に記載の装置。
[Ｃ３４]  ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−１、０、および１に位置する３つのＤＣトーン、またはトーンインデックス０に位置する１つのＤＣトーンを含む、Ｃ２９に記載の装置。
[Ｃ３５]  ＤＣトーンの前記第１のセットが、トーンインデックス−３、−２、−１、０、１、２、および３に位置する７つのＤＣトーンを含み、ＤＣトーンの前記第２のセットが、トーンインデックス−１、０、および１に位置する３つのＤＣトーン、またはトーンインデックス０における１つのＤＣトーンを含む、Ｃ２９に記載の装置。
[Ｃ３６]  ＤＣトーンの前記第１のセットが、トーンインデックス−１、０、および１に位置する３つのＤＣトーンを含み、ＤＣトーンの前記第２のセットが、トーンインデックス−１、０、および１に位置する３つのＤＣトーンを含む、Ｃ２９に記載の装置。
[Ｃ３７]  ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、Ｃ２９に記載の装置。
[Ｃ３８]  ＤＣトーンの前記第１のセットが、トーンインデックス−３、−２、−１、０、１、２、および３に位置する７つのＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、Ｃ２９に記載の装置。
[Ｃ３９]  前記第１のシンボル持続時間が前記第２のシンボル持続時間よりも２倍長く、前記第１の周波数帯域幅および前記第２の周波数帯域幅が２０メガヘルツであり、前記第１の有効な開始トーンインデックスが−１２２であり、前記第１の有効な終了トーンインデックスが１２２であり、前記第２の有効な開始トーンインデックスが−６１であり、前記第２の有効な終了トーンインデックスが６１である、Ｃ２９に記載の装置。
[Ｃ４０]  前記第１のシンボル持続時間が前記第２のシンボル持続時間よりも２倍長く、前記第１の周波数帯域幅および前記第２の周波数帯域幅が４０メガヘルツであり、前記第１の有効な開始トーンインデックスが−２５０であり、前記第１の有効な終了トーンインデックスが２５０であり、前記第２の有効な開始トーンインデックスが−１２５であり、前記第２の有効な終了トーンインデックスが１２５である、Ｃ２９に記載の装置。
[Ｃ４１]  前記第１のシンボル持続時間が前記第２のシンボル持続時間よりも２倍長く、前記第１の周波数帯域幅および前記第２の周波数帯域幅が８０メガヘルツであり、前記第１の有効な開始トーンインデックスが−５０６であり、前記第１の有効な終了トーンインデックスが５０６であり、前記第２の有効な開始トーンインデックスが−２５３であり、前記第２の有効な終了トーンインデックスが２５３である、Ｃ２９に記載の装置。
[Ｃ４２]  前記ＤＣトーンがゼロ振幅を有し、非ＤＣトーンが、ガードトーンと、データトーンと、パイロットトーンとを含み、ここにおいて、前記ガードトーンがゼロ振幅を有し、前記データトーンが、送信されるべきデータを含み、パイロットトーンが、チャネル推定のための既知の情報を含む、Ｃ２９に記載の装置。
[Ｃ４３]  ワイヤレスデバイスに関連付けられた、ワイヤレス通信のための実行可能コードを記憶しているコンピュータ可読媒体であって、
第１のシンボルタイプの第１のシンボル中でユーザデータを送信することと、ここにおいて、前記第１のシンボルタイプが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
第２のシンボルタイプの第２のシンボル中でロングトレーニングフィールド（ＬＴＦ）を送信することと、ここにおいて、前記第２のシンボルタイプが、第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を行うためのコードを備える、コンピュータ可読媒体。